(57)【要約】【課題】  レジスタにおいて可動フィンの回転モーメントによる操作ノブの負荷変動を少なくすること。【解決手段】  空気吹出口から吹き出す気流の方向を偏向させる可動縦フィン３１がレジスタ１０内に配置されている。レジスタ１０の前面に操作ノブ２１が配設され、操作ノブ２１にカム４０の一対の原節４１、４２が形成され、操作ノブ２１の回転軸２２と可動縦フィン３１の回転軸３２を結ぶ直線に関して一方の原節４１と他方の原節４２が互いに反対側に位置し、可動縦フィン３１の回転軸３２にアーム３３が固定され、一方の原節４１に従動する一方の従節４３と他方の原節４２に従動する他方の従節４４からなるカム４０の一対の従節がアーム３３に形成され、操作ノブ２１の回転軸２２と可動縦フィン３１の回転軸３２を結ぶ直線に関して一方の従節４３と他方の従節４４が互いに反対側に位置している。【選択図】        図１
2006224762.tif 000002
【特許請求の範囲】
【請求項１】
レジスタ内に送り込まれた気流を空気吹出口から吹き出すレジスタであって、前記空気吹出口から吹き出す気流の方向を偏向させる可動フィンがレジスタ内に配置されているレジスタにおいて、
レジスタの前部に操作ノブが配設され、
前記操作ノブにカムの一対の原節が形成され、
前記一対の原節は一方の原節と他方の原節からなり、
前記操作ノブの回転軸と前記可動フィンの回転軸を結ぶ直線に関して前記一方の原節と前記他方の原節が互いに反対側に位置し、
前記可動フィンの回転軸にアームが固定され、
前記一方の原節に従動する一方の従節と前記他方の原節に従動する他方の従節からなる前記カムの一対の従節が前記アームに形成され、
前記操作ノブの回転軸と前記可動フィンの回転軸を結ぶ直線に関して前記一方の従節と前記他方の従節が互いに反対側に位置していることを特徴とするレジスタ。
【請求項２】
請求項１に記載したレジスタであって、
前記操作ノブの回転軸と前記可動フィンの回転軸を結ぶ直線に関して前記一方の原節と前記他方の原節が互いに対称の位置に配設されていることを特徴とするレジスタ。
【請求項３】
請求項１または２に記載したレジスタであって、
前記一対の原節が前記操作ノブに付設された一対の凸部であり、この一対の凸部の前記一対の従節に摺動する部分が凸状の湾曲面であることを特徴とするレジスタ。
【請求項４】
請求項３に記載したレジスタであって、
前記一対の従節が前記アームに形成された一対の凸状の弧状面であることを特徴とするレジスタ。
【発明の詳細な説明】
【技術分野】
【０００１】
本発明は、温冷風等の吹き出しをするレジスタに関し、特に風向きの偏向・調整を安定して行うことができるレジスタに関するものである。
【背景技術】
【０００２】
図５は従来のレジスタ（例えば特許文献１参照）を分解して示し、図６は図５のレジスタの動作を示す。図５に示すように、レジスタ５０はベゼル５１およびベゼル５１の後端に接続されている筒状外形のリテーナ５２を備えている。なお、リテーナ５２の後端の外面にはウレタンシール５２ｅが取付けられている。ベセル５１およびリテーナ５２で構成されるレジスタ５０の通気路内には前フィンとなる複数の可動横フィン６１および奥フィンとなる複数の可動縦フィン６２が配置されている。
なお、複数の可動横フィン６１の回転軸（横軸）６１ａは支持板６１ｄ（リテーナ５２の図示左側壁の前縁５２ａの内面に取付けられている。）の孔６１ｐとリテーナ５２の図示右側面の前縁に形成された軸受５２ｂにより回動自在に支持されている。そして、回転軸６１ａの図示右端部に取付けられたアーム６１ｂの先端にはピン６１ｃが回転軸６１ａと平行に付設され、各ピン６１ｃは連結板６１ｅの各孔６１ｑに回動自在に支えられている。このため、ノブ６１ｆにより中央の可動横フィン６１を操作するとすべての可動横フィン６１は連動する。また、リテーナ５２の上下の前縁には軸受５２ｃ、５２ｄが形成され、複数の可動縦フィン６２の回転軸（縦軸）６３は軸受５２ｃ、５２ｄにより回動自在に支えられている。そして、各可動縦フィン６２に下向きのピン６２ａが形成され、各ピン６２ａがロッド棒６４の各孔６４ａに回動自在に係合しているので、複数の可動縦フィン６２は連動する。
【０００３】
レジスタ１０内に送りこまれた気流５４はまず複数の可動縦フィン６２により横方向に偏向され、つぎに複数の可動横フィン６１により上下方向に偏向されてベゼル５１の前面の空気吹出口５３から吹き出る。ベゼル５１の前面の下部の開口部５１ａには操作ノブ５５が配設されている。操作ノブ５５の後部にはアーム５５ａが形成され、アーム５５ａには溝５５ｂが形成されている。この溝５５ｂは操作ノブ５５の後方向に延びている。なお、操作ノブ５５の中心部にはシム５５ｃが嵌合し、シム５５ｃの中心孔５５ｄに回転軸５５ｅ（図６参照）が嵌合している。
そして、中央の可動縦フィン６２の回転軸６３の下部に連結された横方向のアーム６５の先端にピン６６が下向きに付設され、このピン６６が操作ノブ５５の溝５５ｂに摺動および回動可能に係合している。このため、操作ノブ５５を回転させると、可動縦フィン６２は横方向に偏向する。
【特許文献１】特開２００４−２７１０１８号公報
【発明の開示】
【発明が解決しようとする課題】
【０００４】
しかし、上述の従来例では、図６に示すように、操作ノブ５５の後に可動縦フィン６２が配設されているので、操作ノブ５５の回転軸５５ｅとニュートラル時（実線で示す時）の中央の可動縦フィン６２のピン６６との距離をｄとし、中央の可動縦フィン６２の回転軸６３とピン６６との距離をｃとすると、ｃ／ｄは１よりはるかに小さくなり、ｃは可動縦フィン６２の偏向角度に関係なく一定であり、ｄは可動縦フィン６２の偏向角度により変わる（例えばｄ´になる。）が、これによるｃ／ｄの変化は小さい。このため、可動縦フィン６２を回転させるようなモーメントが働くと、ｃ／ｄが１よりはるかに小さいので、このモーメントが比較的小さくても、操作ノブ５５の負荷が変動するという問題があった。なお、上記問題は可動縦フィンに限らず、操作ノブ５５と同様の操作ノブで可動横フィンを操作する場合にも生ずる問題であった。
そこで、本発明が解決しようとする課題は、上述の問題に鑑みて、レジスタにおいて可動フィンを回転させるモーメントが作用したときでも、これによる可動フィンの操作ノブの負荷変動を少なくすることである。
【課題を解決するための手段】
【０００５】
上記課題を解決するため、請求項１記載の発明は、レジスタ内に送り込まれた気流を空気吹出口から吹き出すレジスタであって、前記空気吹出口から吹き出す気流の方向を偏向させる可動フィンがレジスタ内に配置されているレジスタにおいて、レジスタの前部に操作ノブが配設され、前記操作ノブにカムの一対の原節が形成され、前記一対の原節は一方の原節と他方の原節からなり、前記操作ノブの回転軸と前記可動フィンの回転軸を結ぶ直線に関して前記一方の原節と前記他方の原節が互いに反対側に位置し、前記可動フィンの回転軸にアームが固定され、前記一方の原節に従動する一方の従節と前記他方の原節に従動する他方の従節からなる前記カムの一対の従節が前記アームに形成され、前記操作ノブの回転軸と前記可動フィンの回転軸を結ぶ直線に関して前記一方の従節と前記他方の従節が互いに反対側に位置していることを特徴とするレジスタである。
これにより、レジスタの前部に配設された操作ノブに形成されたカムの一対の原節が一方の原節と他方の原節からなり、前記操作ノブの回転軸と前記可動フィンの回転軸を結ぶ直線に関して前記一方の原節と前記他方の原節が互いに反対側に位置し、前記可動フィンの回転軸に固定されたアームに、前記一方の原節に従動する一方の従節と前記他方の原節に従動する他方の従節からなる前記カムの一対の従節が形成され、前記操作ノブの回転軸と前記可動フィンの回転軸を結ぶ直線に関して前記一方の従節と前記他方の従節が互いに反対側に位置しているので、偏向した可動フィンが気流等により押されているときに、一方の従節が一方の原節に回転モーメントを与えているときは、他方の従節は他方の原節に回転モーメントを与えていない。反対に、他方の従節が他方の原節に回転モーメントを与えているときは、一方の従節は一方の原節に回転モーメントを与えていない。
このため、一方の原節が一方の従節を押している場合の作用を分析すると以下のようになる。すなわち、この場合は、可動フィンが回転し、これにより可動フィンが気流等により押されることによる回転モーメントは他方の従節が他方の原節を押す方向になる。このとき、他方の従節と他方の原節との接点（接点ｐとする。）と可動フィンの回転軸との距離をａとし、接点ｐと操作ノブの回転軸との距離をｂとすると、ａ／ｂは上述の従来例のｃ／ｄよりも１に近づくので、前記回転モーメントによる操作ノブの負荷の変動は従来例よりも小さくなる。
このことは、他方の原節が他方の従節を押している場合においても同様である。
【０００６】
さらに、請求項２記載の発明は、請求項１に記載したレジスタであって、前記操作ノブの回転軸と前記可動フィンの回転軸を結ぶ直線に関して前記一方の原節と前記他方の原節が互いに対称の位置に配設されていることを特徴とするレジスタである。
これにより、操作ノブにより可動フィンを回転させるときに、操作ノブを時計方向に回転させたときと、反時計方向に回転させたときにおいて、操作ノブの負荷の変動が同じになる。
【０００７】
さらに、請求項３記載の発明は、請求項１または２に記載したレジスタであって、前記一対の原節が前記操作ノブに付設された一対の凸部であり、この一対の凸部の前記一対の従節に摺動する部分が凸状の湾曲面であることを特徴とするレジスタである。
これにより、前記一対の原節を構成する一対の凸部の凸状の湾曲面が前記一対の従節に円滑に摺動するので、カムの動作が円滑になる。
【０００８】
さらに、請求項４記載の発明は、請求項３に記載したレジスタであって、前記一対の従節が前記アームに形成された一対の凸状の弧状面であることを特徴とするレジスタである。
これにより、前記一対の原節の凸状の湾曲面が前記一対の従節の凸状の弧状面に沿って円滑に摺動するので、前記カムの動作が一層円滑になる。
【発明の効果】
【０００９】
請求項１記載の発明によれば、操作ノブの操作性が従来例よりも向上する。
さらに、請求項２記載の発明によれば、請求項１記載の発明の効果とともに、操作ノブを時計方向に回転させた場合と反時計方向に回転させた場合において操作ノブの操作性の向上が同じ程度になる。
さらに、請求項３記載の発明によれば、請求項１または２記載の発明の効果とともに、操作ノブにより可動フィンを円滑に回転させることができる。
さらに、請求項４記載の発明によれば、請求項３記載の発明の効果とともに、操作ノブにより可動フィンを一層円滑に回転させることができる。
【発明を実施するための最良の形態】
【００１０】
以下、本発明における実施の形態を図面に基づいて説明する。
図１は本願発明の実施の形態に係るレジスタの縦断面を示し、図２は図１のレジスタの底面を一部破断して示し、図３は図１のリテーナを分解して示し、図４は図１のレジスタの動作を示す。
【００１１】
図１に示すように、レジスタ１０は、その前部のベゼル１１とベゼル１１の後側に接続された筒状外形のリテーナ１２を備え、ベゼル１１の前部に空気吹出口１３（図３参照）が形成されている。なお、リテーナ１２の後端の外面にはウレタンシール１２ｅが取付けられている。ベセル１１およびリテーナ１２で構成されるレジスタ１０の通気路内には前フィンとなる複数の可動横フィン１４および奥フィンとなる複数の可動縦フィン３１（図３参照）が配置されている。複数の可動縦フィン３１はレジスタ１０内に送り込まれた気流１５の方向を横方向に偏向させる。そして、複数の可動横フィン１４は複数の可動縦フィン３１で横方向に偏向された気流１５の方向を上下方向に偏向して空気吹出口１３から吹き出させる。
【００１２】
なお、図３に示すように、リテーナ１２の図示左側壁の前縁１２ａの内面には支持板１４ｄが取付けられ、支持板１４ｄには複数の孔１４ｐが一列に形成されている。複数の可動横フィン１４の回転軸（横軸）１４ａは支持板１４ｄの孔１４ｐとリテーナ１２の図示右側面の前縁に形成された軸受１２ｂにより回動自在に支持されている。そして、回転軸１４ａの図示右端部にはアーム１４ｂが取付けられ、アーム１４ｂの先端にはピン１４ｃが回転軸１４ａと平行に付設され、ピン１４ｃは連結板１４ｅに一列に形成された孔１４ｑに回動自在に支えられている。このため、ノブ１４ｆにより中央の可動横フィン１４を操作するとすべての可動横フィン１４は連動する。また、各可動縦フィン３１の回転軸（縦軸）３２はリテーナ１２の上下壁に形成された各軸受１２ｃ、１２ｄにより回動自在に支えられている。各可動縦フィン３１の上部に立設されたピン３４はロッド棒３５に一列に形成された孔３５ａに回動自在に連結されている。このため、各可動縦フィン３１は連動する。
【００１３】
図１に示すように、空気吹出口１３の下側にてベゼル１１の前部の開口部１１ａに操作ノブ２１が回転軸２２を回転中心として回転可能に配設されている。なお、操作ノブ２１の中心部にはシム２２ａが嵌合し、シム２２ａの中心孔２２ｂに回転軸２２が嵌合している。
図２に示すように、操作ノブ２１の回転により可動縦フィン３１（図１参照）を回転させるために、操作ノブ２１の後部にカム４０の一対の原節が形成され、前記一対の原節は一方の原節４１と他方の原節４２からなっている。操作ノブ２１の回転軸２２と中央の可動縦フィン３１の回転軸３２を結ぶ直線に関して一方の原節４１と他方の原節４２が互いに反対側に位置している。
図３に示すように、可動縦フィン３１の回転軸３２の下端部にアーム３３が固定され、一方の原節４１に従動する一方の従節４３と他方の原節４２に従動する他方の従節４４からなるカム４０の一対の従節がアーム３３に形成されている。
【００１４】
図２に示すように、操作ノブ２１の回転軸２２と中央の可動縦フィン３１（図３参照）の回転軸３２を結ぶ直線に関して一方の従節４３と他方の従節４４が互いに反対側で対称の位置に配設されている。また、操作ノブ２１の回転軸２２と中央の可動縦フィン３１の回転軸３２を結ぶ直線に関して一方の原節４１と他方の原節４２が互いに反対側で対称の位置に配設されている。また、図４に示すように、前記一対の原節４１、４２が操作ノブ２１の後部に付設された一対の凸部であり、この一対の凸部の一対の従節４３、４４に摺動する面が一対の凸状の湾曲面４１ａ、４２ａである。また、前記一対の従節４３、４４がアーム３３に形成された一対の凸状の弧状面４３ａ、４４ａである。
【００１５】
以上の構成のレジスタ１０は以下のように動作する。
レジスタ１０の前部に配設された操作ノブ２１に形成されたカム４０の一対の原節が一方の原節４１と他方の原節４２からなり、操作ノブ２１の回転軸２２と可動縦フィン３１の回転軸３２を結ぶ直線に関して一方の原節４１と他方の原節４２が互いに反対側に位置し、可動縦フィン３１の回転軸３２に固定されたアーム３３に、一方の原節４１に従動する一方の従節４３と他方の原節４２に従動する他方の従節４４からなる一対の従節が形成され、操作ノブ２１の回転軸２２と中央の可動縦フィン３１の回転軸３２を結ぶ直線に関して一方の従節４３と他方の従節４４が互いに反対側に位置しているので、回転により偏向した可動縦フィン３１が気流１５等により押されているときに、一方の従節４３が一方の原節４１に回転モーメントを与えているときは、他方の従節４４は他方の原節４２に回転モーメントを与えていない。反対に、他方の従節４４が他方の原節４２に回転モーメントを与えているときは、一方の従節４３は一方の原節４１に回転モーメントを与えていない。
【００１６】
このため、一方の原節４１が一方の従節４３を押している場合の作用を分析すると以下のようになる。すなわち、この場合は、可動縦フィン３１が回転し、これにより可動縦フィン３１が気流１５等により押されることによる回転モーメントは他方の従節４４が他方の原節４２を押す方向になる。
このとき、図４に示すように、可動縦フィン３１のニュートラル時（実線で示す状態の時）の他方の従節４４と他方の原節４２との接点ｐと中央の可動縦フィン３１の回転軸３２との距離をａとし、接点ｐと操作ノブ２１の回転軸２２との距離をｂとする。ａ／ｂは上述の従来例のｃ／ｄよりも１に近づく。なお、可動縦フィン３１が図示時計方向に回動すると、接点ｐは順次接点ｐ´、接点ｐ´´となる。また、このとき、距離ａは順次距離ａ´、距離ａ´´になり、距離ｂは順次距離ｂ´、距離ｂ´´になる。ここで、距離ａ、ａ´、ａ´´となるに従い順次距離が大きくなるが、距離ｂ、ｂ´、ｂ´´はほぼ同じである。このため、ａ´／ｂ´、ａ´´／ｂ´´はａ／ｂよりも１に近づく。このため、前記回転モーメントによる操作ノブ２１の負荷の変動は従来例よりも小さくなる。
このことは、他方の原節４２が他方の従節４４を押している場合においても同様である。
【００１７】
さらに、、操作ノブ２１により可動縦フィン３１を回転させるときに、操作ノブ２１を時計方向に回転させたときと、反時計方向に回転させたときにおいて、操作ノブ２１の負荷の変動が同じになる。
さらに、一対の原節４１、４２を構成する一対の凸部の凸状の湾曲面４１ａ、４２ａが一対の従節４３、４４に円滑に摺動するので、カム４０の動作が円滑になる。
さらに、一対の原節４１、４２の凸状の湾曲面４１ａ、４２ａが一対の従節４３、４４の凸状の弧状面４３ａ、４４ａに沿って円滑に摺動するので、カム４０の動作が一層円滑になる。
【００１８】
なお、上記実施の形態において、操作ノブ５５は可動縦フィン３１を操作しているが、これに限定されず、操作ノブ５５に相当する操作ノブが可動横フィンを操作するようにしてもよい。
【図面の簡単な説明】
【００１９】
【図１】本願発明の実施の形態に係るレジスタの縦断面図である。
【図２】図１のレジスタの一部破断した底面図である。
【図３】図１のリテーナを分解して示す斜視図である。
【図４】図１のレジスタの動作を示す説明図である。
【図５】従来のレジスタを分解して示す斜視図である。
【図６】図５のレジスタの動作を示す説明図である。
【符号の説明】
【００２０】
１０  レジスタ
１３  空気吹出口
１５  気流
２１  操作ノブ
２２  回転軸
３１  可動縦フィン
３２  回転軸
３３  アーム
４０  カム
４１  一方の原節
４１ａ  凸状の湾曲面
４２  他方の原節
４２ａ  凸状の湾曲面
４３  一方の従節
４３ａ  凸状の弧状面
４４  他方の従節
４４ａ  凸状の弧状面
【図１】
2006224762.tif 000003
【図２】
2006224762.tif 000004
【図３】
2006224762.tif 000005
【図４】
2006224762.tif 000006
【図５】
2006224762.tif 000007
【図６】
2006224762.tif 000008